(57)【要約】【課題】  入力信号に含まれているノイズ成分を考慮して輪郭補正を行う。【解決手段】  入力信号Ｓ１を遅延処理し、信号Ｓ２を生成する第１の遅延部と、信号Ｓ４を生成する第１の減算部と、信号Ｓ３を生成する第２の遅延部と、信号Ｓ５を生成する第２の減算部と、信号Ｓ６を生成する第１の加算部と、入力信号Ｓ１に含まれるノイズ成分を除去し、補正判別する信号Ｓ７を生成する補正判別信号生成部と、信号Ｓ７に基づいて所定の演算処理を行い、振幅が一定の信号、信号Ｓ４又は信号Ｓ５を出力する第１の演算部と、信号Ｓ６に基づき所定の演算処理を行う第２の演算部と、信号の輪郭の傾きを最大に補正するときに信号Ｓ８を出力し、上述以外のときに信号Ｓ８と極性を反転した信号Ｓ９とから最小値をとり、その最小値を出力する第３の演算部と、信号Ｓ２から第３の演算部から出力された信号Ｓ１０を減算処理する第３の減算部とを備える。【選択図】  図１
2005175711.tif 000002
【特許請求の範囲】
【請求項１】
入力信号Ｓ１を遅延処理し、遅延信号Ｓ２を生成する第１の遅延手段と、
上記遅延信号Ｓ２から上記入力信号Ｓ１を減算処理し、信号Ｓ４を生成する第１の減算手段と、
上記遅延信号Ｓ２を遅延処理し、遅延信号Ｓ３を生成する第２の遅延手段と、
上記遅延信号Ｓ２から上記遅延信号Ｓ３を減算処理し、信号Ｓ５を生成する第２の減算手段と、
上記信号Ｓ４と上記信号Ｓ５とを加算処理し、信号Ｓ６を生成する第１の加算手段と、
上記入力信号Ｓ１に含まれるノイズ成分を抽出し、抽出したノイズ成分を当該入力信号Ｓ１から除去し、除去後のノイズ除去信号Ｓ'１に基づき補正判別信号Ｓ７を生成する補正判別信号生成手段と、
上記信号Ｓ４、上記信号Ｓ５及び上記補正判別信号Ｓ７が入力され、補正判別信号Ｓ７に基づいて所定の演算処理を行い、振幅が一定の信号、信号Ｓ４又は信号Ｓ５の何れか一つを信号Ｓ８として出力する第１の演算手段と、
上記信号Ｓ６が入力され、入力された信号Ｓ６が所定の値より小さいときに振幅がゼロの信号を出力し、信号Ｓ６が所定の値より大きいときに信号Ｓ６から所定の値を減算し、減算した信号を増幅し、増幅した信号を信号Ｓ９として出力する第２の演算手段と、
上記第１の演算手段から出力された信号Ｓ８と上記第２の演算手段から出力された信号Ｓ９とが入力され、信号の輪郭の傾きを最大に補正するときに信号Ｓ８を出力し、上述以外のときに信号Ｓ８と極性を反転した信号Ｓ９とから最小値をとり、その最小値を信号Ｓ１０として出力する第３の演算手段と、
上記遅延信号Ｓ２に基づき上記第３の演算手段から出力された信号Ｓ１０を減算処理する第３の減算手段とを備えることを特徴とする輪郭補正回路。
【請求項２】
上記補正判別信号生成手段は、
上記入力信号Ｓ１からノイズ成分を抽出するノイズ成分抽出手段と、
上記入力信号Ｓ１から上記ノイズ成分抽出手段で抽出したノイズ成分を除去するノイズ成分除去手段と、
上記ノイズ成分除去手段でノイズ成分を除去したノイズ除去信号Ｓ'１を遅延処理し、遅延信号Ｓ１１を生成する第３の遅延手段と、
上記遅延信号Ｓ１１から上記ノイズ除去信号Ｓ'１を減算処理し、信号Ｓ１３を生成する第３の減算手段と、
上記遅延信号Ｓ１１を遅延処理し、遅延信号Ｓ１２を生成する第４の遅延手段と、
上記遅延信号Ｓ１１から上記遅延信号Ｓ１２を減算処理し、信号Ｓ１４を生成する第４の減算手段と、
上記信号Ｓ１３と上記信号Ｓ１４とを加算処理し、信号Ｓ１５を生成する加算手段と、
上記信号Ｓ１３、上記信号Ｓ１４及び上記信号Ｓ１５が入力され、
上記信号Ｓ１３、上記信号Ｓ１４及び上記信号Ｓ１５が入力され、信号Ｓ１５がゼロのとき又は信号Ｓ１３の極性と信号Ｓ１４の極性とが同一のときに補正を行わない旨の補正判別信号Ｓ７を上記第１の演算手段に出力し、信号Ｓ１３の極性と信号Ｓ１５の極性とが同一のときに第１の補正を行う旨の補正判別信号Ｓ７を上記第１の演算手段に出力し、信号Ｓ１３の極性と信号Ｓ１５の極性とが異なるとき（信号Ｓ１４の極性と信号Ｓ１５の極性が同一のとき）に第２の補正を行う旨の補正判別信号Ｓ７を上記第１の演算手段に出力する補正判別手段とを有し、
上記第１の演算手段は、上記補正判別信号生成手段から補正を行わない旨の補正判別信号Ｓ７が供給されたとき、振幅が一定の信号を上記第３の演算手段に出力し、上記補正判別信号生成手段から第１の補正を行う旨の補正判別信号Ｓ７が供給されたとき、上記信号Ｓ５を上記第３の演算手段に出力し、上記補正判別信号生成手段から第２の補正を行う旨の補正判別信号Ｓ７が供給されたとき、上記信号Ｓ４を上記第３の演算手段に出力することを特徴とする請求項１記載の輪郭補正回路。
【請求項３】
上記ノイズ成分抽出手段と上記ノイズ成分除去手段との間に配設され、当該ノイズ成分抽出手段と当該ノイズ成分除去手段との接続関係をオン又はオフするスイッチ部を備えることを特徴とする請求項２記載の輪郭補正回路。
【発明の詳細な説明】
【技術分野】
【０００１】
本発明は、信号の輪郭補正を行う遅延回路を備えた輪郭補正回路に関する。
【背景技術】
【０００２】
入力された信号の輪郭を急峻にすることにより輪郭補正を行うものとして、複数の遅延回路を用いた図１２に示す輪郭補正回路２が知られている。
【０００３】
輪郭補正回路２は、図１２に示すとおり、第１の遅延回路３０と、第２の遅延回路３１と、第１の減算器３２と、第２の減算器３３と、第１の加算器３４と、減衰器３５と、第２の加算器３６とを備えている。
【０００４】
例えば、図１３（ａ）に示す入力信号Ｓ３０に対して輪郭補正を行う際の、輪郭補正回路の動作について以下に説明する。
【０００５】
入力信号Ｓ３０は、第１の遅延回路３０と第１の減算器３２とに供給される。第１の遅延回路３０に供給された入力信号Ｓ３０は、所定の遅延処理が行われ、図１３（ｂ）に示す遅延信号Ｓ３１となる。なお、遅延信号Ｓ３１は、輪郭補正の基準信号となる。
【０００６】
遅延信号Ｓ３１は、第２の遅延回路３１、第１の減算器３２、第２の減算器３３及び第２の加算器３６に供給される。第２の遅延回路３１に供給された遅延信号Ｓ３１は、所定の遅延処理が行われ、図１３（ｃ）に示す遅延信号Ｓ３２となる。第１の減算器３２では、遅延信号Ｓ３１から入力信号Ｓ３０を減算し、図１３（ｄ）に示す信号Ｓ３３を生成する。第１の減算器３２は、生成した信号Ｓ３３を第１の加算器３４に供給する。また、第２の減算器３３では、遅延信号Ｓ３１から遅延信号Ｓ３２を減算し、図１３（ｅ）に示す信号Ｓ３４を生成する。第２の減算器３３は、生成した信号Ｓ３４を第１の加算器３４に供給する。
【０００７】
第１の加算器３４では、供給された信号Ｓ３３と信号Ｓ３４とを加算し、図１３（ｆ）に示す信号Ｓ３５を生成する。第１の加算器３４は、生成した信号Ｓ３５を減衰器３５に供給する。減衰器３５では、供給された信号Ｓ３５に減衰値ｋを１として信号Ｓ３５に減衰を行う。なお、減衰値ｋは、０以上１以下の値（０≦ｋ≦１）とする。減衰器３５で減衰された信号Ｓ３６は、第２の加算器３６に供給される。
【０００８】
第２の加算器３６では、供給された基準信号である遅延信号Ｓ３１と信号Ｓ３６とを加算し、図１３（ｇ）に示す信号Ｓ３７を生成する。
【０００９】
信号Ｓ３７は、信号Ｓ３０を輪郭補正した際の信号成分を示している。
【００１０】
【特許文献１】特開２００２−３３５４２４号公報
【発明の開示】
【発明が解決しようとする課題】
【００１１】
このような輪郭補正回路による輪郭補正では、図１３（ｇ）に示すとおり、輪郭の前後でプリシュート及びオーバーシュートが付加される問題がある。このプリシュート及びオーバーシュートの付加により、映像が見づらくなってしまう。このような問題を解決するために、種々の技術が提案されている（特許文献１参照）。
【００１２】
しかしながら、輪郭を急峻にするために、減衰器３５の減衰値ｋを大きな値に設定すると、それに伴って、プリシュート及びオーバーシュートの成分も大きくなる問題がある。したがって、輪郭補正回路では、信号の輪郭の傾きを無闇に急峻にすることができない。
【００１３】
また、入力信号Ｓ３０にノイズ成分が含まれている場合に、輪郭補正処理を行ってしまうと、ノイズ成分が強調されてしまう恐れがある。
【００１４】
そこで、本発明は、上述したような実情に鑑みて提案されたものであり、不要なプリシュート及びオーバーシュートの成分を付加せず、かつ、信号の輪郭の傾きを急峻にすることができ、さらに、入力信号に含まれているノイズ成分を強調することがない輪郭補正回路を提供することを目的とする。
【課題を解決するための手段】
【００１５】
本発明に係る輪郭補正回路は、上述の課題を解決するために、入力信号Ｓ１を遅延処理し、遅延信号Ｓ２を生成する第１の遅延手段と、上記遅延信号Ｓ２から上記入力信号Ｓ１を減算処理し、信号Ｓ４を生成する第１の減算手段と、上記遅延信号Ｓ２を遅延処理し、遅延信号Ｓ３を生成する第２の遅延手段と、上記遅延信号Ｓ２から上記遅延信号Ｓ３を減算処理し、信号Ｓ５を生成する第２の減算手段と、上記信号Ｓ４と上記信号Ｓ５とを加算処理し、信号Ｓ６を生成する第１の加算手段と、上記入力信号Ｓ１に含まれるノイズ成分を抽出し、抽出したノイズ成分を当該入力信号Ｓ１から除去し、除去後のノイズ除去信号Ｓ'１に基づき補正判別信号Ｓ７を生成する補正判別信号生成手段と、上記信号Ｓ４、上記信号Ｓ５及び上記補正判別信号Ｓ７が入力され、補正判別信号Ｓ７に基づいて所定の演算処理を行い、振幅が一定の信号、信号Ｓ４又は信号Ｓ５の何れか一つを信号Ｓ８として出力する第１の演算手段と、上記信号Ｓ６が入力され、入力された信号Ｓ６が所定の値より小さいときに振幅がゼロの信号を出力し、信号Ｓ６が所定の値より大きいときに信号Ｓ６から所定の値を減算し、減算した信号を増幅し、増幅した信号を信号Ｓ９として出力する第２の演算手段と、上記第１の演算手段から出力された信号Ｓ８と上記第２の演算手段から出力された信号Ｓ９とが入力され、信号の輪郭の傾きを最大に補正するときに信号Ｓ８を出力し、上述以外のときに信号Ｓ８と極性を反転した信号Ｓ９とから最小値をとり、その最小値を信号Ｓ１０として出力する第３の演算手段と、上記遅延信号Ｓ２に基づき上記第３の演算手段から出力された信号Ｓ１０を減算処理する第３の減算手段とを備える。
【発明の効果】
【００１６】
本発明に係る輪郭補正回路は、入力信号Ｓ１に含まれるノイズ成分を周波通成分的に抽出して除去し、ノイズ除去信号Ｓ'１に基づき補正判別信号Ｓ７を生成し、当該補正判別信号Ｓ７に応じて所定の演算を行い輪郭補正信号を生成するので、入力信号Ｓ１に含まれているノイズ成分による生ずる誤判断が制御され、ノイズ成分を強調することなく輪郭補正効果を得ることができる。
【発明を実施するための最良の形態】
【００１７】
以下、本発明の第１の実施の形態について図面を参照しながら詳細に説明する。
【００１８】
本発明は、例えば図１に示すような輪郭補正回路１に適用される。輪郭補正回路１は、第１の遅延回路１０と、第２の遅延回路１１と、第１の減算器１２と、第２の減算器１３と、第１の加算器１４と、補正判別部１５と、第１の演算器１６と、第２の演算器１７と、第３の演算器１８と、第３の減算器１９とを備える。
【００１９】
第１の遅延回路１０は、例えば、図２（ａ）に示すような信号Ｓ１が入力された場合、所定の遅延処理を行い、図２（ｂ）に示すような遅延信号Ｓ２を生成する。なお、第１の遅延回路１０では、遅延幅を２ステップ（目盛分）としているが、任意のステップ数で遅延幅を決定しても良い。また、第１の遅延回路１０により生成された遅延信号Ｓ２を、輪郭補正を行う基準信号とする。第１の遅延回路１０は、遅延信号Ｓ２を第２の遅延回路１１、第１の減算器１２、第２の減算器１３及び第３の減算器１９に供給する。
【００２０】
第２の遅延回路１１は、供給された遅延信号Ｓ２に所定の遅延処理を行い、図２（ｃ）に示す遅延信号Ｓ３を生成する。なお、第２の遅延回路１１では、遅延幅を２ステップ（目盛分）としているが、任意のステップ数で遅延幅を決定しても良い。第２の遅延回路１１は、生成した遅延信号Ｓ３を第２の減算器１３に供給する。第１の減算器１２は、供給された遅延信号Ｓ２から信号Ｓ１を減算し、図２（ｄ）に示す信号Ｓ４を生成する。第１の減算器１２は、生成した信号Ｓ４を加算器１４と第１の演算器１６とに供給する。第２の減算器１３は、供給された遅延信号Ｓ２から遅延信号Ｓ３を減算し、図２（ｅ）に示す信号Ｓ５を生成する。第２の減算器１３は、生成した信号Ｓ５を加算器１４と第１の演算器１６とに供給する。加算器１４は、供給された信号Ｓ４と信号Ｓ５とを加算し、図２（ｆ）に示す信号Ｓ６を生成する。加算器１４は、生成した信号Ｓ６を第２の演算器１７に供給する。
【００２１】
補正判別部１５は、入力信号Ｓ１に含まれるノイズ成分を抽出し、抽出したノイズ成分を入力信号Ｓ１から除去したノイズ除去後信号Ｓ'１に基づき補正判別信号Ｓ７を生成する。ここで、補正判別部１５の構成について図３を用いて説明する。
【００２２】
補正判別部１５は、図３に示すように、入力信号Ｓ１からノイズ成分を抽出するフィルタ部２０と、入力信号Ｓ１からフィルタ部２０で抽出したノイズ成分を除去するノイズ成分除去部２１と、フィルタ部２０とノイズ成分除去部２１との接続関係をオン又はオフするスイッチ（ＳＷ）２２と、ノイズ成分除去部２１で入力信号Ｓ１からノイズを除去したノイズ除去信号Ｓ'１に基づき補正判別信号Ｓ７を生成する処理部２３とを備える。
【００２３】
フィルタ部２０は、例えば、帯域通過フィルタ（ＢＰＦ）であり、入力信号Ｓ１からノイズ成分を抽出し、抽出したノイズ成分をスイッチ２２を介してノイズ成分除去部２１に出力する。また、フィルタ部２０のＱ特性（タップ数）は、可変とし、ノイズの周波数成分に適合した特性を選択できるものとする。
【００２４】
処理部２３は、図４（ａ）に示すノイズ成分除去部２１から入力されたノイズ除去信号Ｓ'１に所定の遅延処理を行い、図４（ｂ）に示す遅延信号Ｓ１１を生成する第３の遅延回路２４と、遅延信号Ｓ１１に所定の遅延処理を行い、図４（ｃ）に示す遅延信号Ｓ１２を生成する第４の遅延回路２５と、遅延信号Ｓ１１から入力信号Ｓ１を減算し、図４（ｄ）に示す信号Ｓ１３を生成する第４の減算器２６と、遅延信号Ｓ１１から遅延信号Ｓ１２を減算し、図４（ｅ）に示す信号Ｓ１４を生成する第５の減算器２７と、信号Ｓ１３と信号Ｓ１４とを加算し、図４（ｆ）に示す信号Ｓ１５を生成する第２の加算器２８と、信号Ｓ１３、信号Ｓ１４及び信号Ｓ１５に基づき図４（ｇ）に示す補正判別信号Ｓ７を生成し、第１の演算器１６に出力する補正判別回路２９を有する。
【００２５】
補正判別回路２９は、信号Ｓ１５がゼロのとき又は信号Ｓ１３の極性と信号Ｓ１４の極性とが同一のときに、補正を行わない旨の補正判別信号Ｓ７を第１の演算器１６に出力し、信号Ｓ１３の極性と信号Ｓ１５の極性とが同一のときに第１の補正を行う旨の補正判別信号Ｓ７を第１の演算器１６に出力し、信号Ｓ１３の極性と信号Ｓ１５の極性とが異なるとき（信号Ｓ１４の極性と信号Ｓ１５の極性が同一のとき）に第２の補正を行う旨の補正判別信号Ｓ７を第１の演算器１６に出力する。
【００２６】
ここで、補正判別回路２９により補正判別信号Ｓ７を生成する動作について図５に示すフローチャートを用いて説明する。
【００２７】
ステップＳＴ１において、補正判別回路２９は、第４の減算器２６から信号Ｓ１３が入力され、第５の減算器２７から信号Ｓ１４が入力され、第２の加算器２８から信号Ｓ１５が入力される。
【００２８】
ステップＳＴ２において、補正判別回路２９は、入力された信号Ｓ１５がゼロ（信号振幅がゼロ）又は、信号Ｓ１３の極性と信号Ｓ１４の極性とが同一であるかどうかを判断する。なお、信号の極性とは、正（＋）と負（−）のことである。入力された信号Ｓ１５がゼロ又は、信号Ｓ１３の極性と信号Ｓ１４の極性とが同一である場合には、ステップＳＴ３に進み、入力された信号Ｓ１５がゼロ以外又は、信号Ｓ１３の極性と信号Ｓ１４の極性とが異なる場合には、ステップＳＴ４に進む。
【００２９】
ステップＳＴ３において、補正判別回路２９は、補正を行わない旨の信号（以下、「補正判定信号Ｓ７（Ｓ＝０）」という。）を生成し、第１の演算器１６に出力する。
【００３０】
ステップＳＴ４において、補正判別回路２９は、信号Ｓ１３の極性と信号Ｓ１５の極性とが同一であるかどうかを判断する。信号Ｓ１３の極性と信号Ｓ１５の極性とが同一である場合には、ステップＳＴ５に進み、信号Ｓ１３の極性と信号Ｓ１５の極性とが異なる場合には、ステップＳＴ６に進む。
【００３１】
ステップＳＴ５において、補正判別回路２９は、補正を行う旨の第１の信号（以下、「補正判定信号Ｓ７（Ｓ＝１）」という。）を生成し、第１の演算器１６に出力する。
【００３２】
ステップＳＴ６において、補正判別回路２９は、補正を行う旨の第２の信号（以下、「補正判定信号Ｓ７（Ｓ＝２）」という。）を生成し、第１の演算器１６に出力する。
【００３３】
補正判別回路２９は、上述のようにして、図２（ｇ）（図４（ｇ））に示す補正判定信号Ｓ７（Ｓ＝０）、補正判定信号Ｓ７（Ｓ＝１）又は補正判定信号Ｓ７（Ｓ＝２）を生成し、第１の演算器１６に出力する。
【００３４】
第１の演算器１６は、第１の減算器１２から供給された信号Ｓ４と、第２の減算器１３から供給された信号Ｓ５と、補正判別部１５から供給された信号Ｓ７とに基づいて演算処理を行い、図２（ｈ）に示す信号Ｓ８を生成する。ここで、第１の演算器１６の演算処理について図６に示すフローチャートを用いて説明する。
【００３５】
ステップＳＴ１０において、第１の演算器１６は、第１の減算器１２から信号Ｓ４が供給され、第２の減算器１３から信号Ｓ５が供給され、補正判別部１５から補正判定信号Ｓ７が供給される。
【００３６】
ステップＳＴ１１において、第１の演算器１６は、補正判別部１５から供給された信号が補正判定信号Ｓ７（Ｓ＝０）かどうかを判断する。補正判定信号Ｓ７（Ｓ＝０）の場合には、ステップＳＴ１２に進み、補正判定信号Ｓ７（Ｓ＝０）でない場合には、ステップＳＴ１３に進む。
【００３７】
ステップＳＴ１２において、第１の演算器１６は、振幅が一定の信号を信号Ｓ８として第３の演算器１８に出力する。
【００３８】
ステップＳＴ１３において、第１の演算器１６は、補正判別部１５から供給された信号が補正判定信号Ｓ７（Ｓ＝１）かどうかを判断する。補正判定信号Ｓ７（Ｓ＝１）の場合には、ステップＳＴ１４に進み、補正判定信号Ｓ７（Ｓ＝１）でない、すなわち補正判定信号Ｓ７（Ｓ＝２）である場合には、ステップＳＴ１５に進む。
【００３９】
ステップＳＴ１４において、第１の演算器１６は、信号Ｓ５を信号Ｓ８として第３の演算器１８に出力する。
【００４０】
ステップＳＴ１５において、第１の演算器１６は、信号Ｓ４を信号Ｓ８として第３の演算器１８に出力する。
【００４１】
このような第１の演算器１６は、輪郭補正前の信号である遅延信号Ｓ２の傾きの前半及び後半の変化量を抽出し、抽出した変化量を相殺することで、プリシュート及びオーバーシュート成分を持たず、かつ、入力信号Ｓ１に含まれているノイズ成分を含まない信号Ｓ８を出力する。なお、信号Ｓ８は、図２（ｈ）に示すように、信号の輪郭の傾きが最大である垂直の信号である。
【００４２】
また、第２の演算器１７は、供給された信号Ｓ６に基づいて演算処理を行い、図２（ｉ）に示すような信号Ｓ９を生成する。ここで、第２の演算器１７の演算処理について図７に示すフローチャートを用いて説明する。
【００４３】
ステップＳＴ２０において、第２の演算器１７は、第１の加算器１４から信号Ｓ６が供給される。
【００４４】
ステップＳＴ２１において、第２の演算器１７は、信号Ｓ６が所定のコアリングレベルより大きいかどうかを判定する。
【００４５】
ここで、コアリングについて説明する。従来から、輪郭補正の際に信号の輪郭の傾きを急峻にすると、それにともなってノイズ成分も急峻になる問題がある。このノイズ成分は、普通の信号レベルに比べると微小変化の信号である。つまり、ある信号レベルを境にして、それより大きい信号レベルと小さい信号レベルとに切り替えることによりノイズ成分を抽出することができる。このある信号レベルをコアリングレベルとして設定することでノイズ成分を強調しない方法がコアリングである。本発明では、コアリングによって信号の輪郭の傾きの中心付近の制御補正を行わないことにより、ノイズ成分の強調を防いでいる。なお、コアリングレベルは、任意の値を定めることが可能である。
【００４６】
第２の演算器１７は、ステップＳＴ２０の工程に基づき、信号Ｓ６が所定のコアリングレベルより大きい場合には、ステップＳＴ２２に進み、信号Ｓ６が所定のコアリングレベルより小さい場合には、ステップＳＴ２３に進む。
【００４７】
ステップＳＴ２２において、第２の演算器１７は、振幅がゼロの信号を信号Ｓ９として第３の演算器１８に出力する。
【００４８】
ステップＳＴ２３において、第２の演算器１７は、信号Ｓ６からコアリングレベルを減算し、減算した信号を所定の増幅値Ａに応じて増幅し信号Ｓ９として第３の演算器１８に出力する。増幅値Ａが大きいほど、信号の輪郭の傾きが急峻になる。
【００４９】
このようにして第２の演算器１７は、コアリングレベルをゼロ、増幅値Ａを１．０として演算を行った場合、図２（ｉ）に示すような信号Ｓ９を第３の演算器１８に出力する。
【００５０】
第３の演算器１８は、第１の演算器１６から供給された信号Ｓ８及び第２の演算器１７から供給された信号Ｓ９に基づいて演算処理を行い、図２（ｊ）に示すような信号Ｓ１０を生成し、生成した信号Ｓ１０を第３の減算器１９に出力する。ここで、第３の演算器１８の演算処理について図８に示すフローチャートを用いて説明する。
【００５１】
ステップＳＴ３０において、第３の演算器１８は、第１の演算器１６から信号Ｓ８が供給され、第２の演算器１７から信号Ｓ９が供給される。
【００５２】
ステップＳＴ３１において、第３の演算器１８は、信号の傾きを最大にするかどうかを判断する。信号の波形の傾きを最大にする場合には、ステップＳＴ３２に進み、信号の傾きを最大にしない場合には、ステップＳＴ３３に進む。
【００５３】
ステップＳＴ３２において、第３の演算器１８は、信号の傾きが垂直の信号である信号Ｓ８を信号Ｓ１０として出力する。例えば、第３の演算器１８は、図２（ｈ）に示すような信号Ｓ８をスルーして、図２（ｊ）に示すような傾きが垂直な信号Ｓ１０を出力する。
【００５４】
ステップＳＴ３３において、第３の演算器１８は、信号Ｓ８と極性を反転した信号Ｓ９とから最小値をとり、その最小値を信号Ｓ１０として出力する。例えば、第３の演算器１８は、図２（ｈ）に示すような垂直の傾きを有する信号Ｓ８と、図２（ｉ）に示すような信号Ｓ９の極性を反転した信号とから最小値をとり、任意の傾きを有する信号を出力する。
【００５５】
このような第３の演算器１８は、信号Ｓ８の極性変化点における垂直の傾きを、極性を反転した信号Ｓ９の任意の傾きに置き換える演算を行っている。信号Ｓ９の傾きは、ステップＳＴ２３で第２の演算器１７により設定する増幅値Ａにより、任意に制御することができる。
【００５６】
また、第３の減算器１９は、遅延信号Ｓ２から信号Ｓ１０を減算する。例えば、第３の減算器１９は、図２（ｂ）に示す遅延信号Ｓ２から、図２（ｉ）に示すような傾きが垂直の信号Ｓ１０を減算し、図２（ｋ）に示すような傾きが垂直の信号Ｓ１１を出力する。
【００５７】
ここで、入力信号Ｓ１にノイズ成分が含まれている場合において、補正判別部１５のスイッチ２２をオフにしたときと、オンにしたときの輪郭補正回路１の動作について以下に述べる。なお、以下では、まずスイッチ２２をオフにした場合の例について述べ、その後スイッチ２２をオンにした場合の例について述べる。
【００５８】
第１の遅延回路１０は、ノイズ成分が含まれている入力信号Ｓ１（図９（ａ））が入力されるので、図９（ｂ）に示すように、ノイズ成分の含まれている遅延進行Ｓ２を生成してしまう。このときに、補正判別部１５のスイッチ２２がオフとなっている場合には、ノイズ成分が除去されていない信号Ｓ１が処理部２３に入力される。以下、処理部２３に備えられている各部の動作については既述したので詳細は省略する。
【００５９】
輪郭補正回路１は、第２の遅延回路１１で図９（ｃ）に示す遅延信号Ｓ３が生成され、第１の減算器１２で図９（ｄ）に示す信号Ｓ４が生成され、第２の減算器１３で図９（ｅ）に示す信号Ｓ５が生成され、第１の加算器１４で図９（ｆ）に示す信号Ｓ６が生成される。
【００６０】
第１の演算器１６は、補正判別部１５から供給された信号Ｓ７と、第１の減算器１２から供給された信号Ｓ４と、第２の減算器１３から供給された信号Ｓ５とに基づき図９（ｇ）に示す信号Ｓ８を生成する。
【００６１】
第２の演算器１７は、例えば、コアリングレベルをゼロにし、増幅値Ａを１．０として演算を行った場合には、図９（ｈ）に示すようなノイズ成分が含まれている信号Ｓ９を生成する。
【００６２】
第３の演算器１８は、第１の演算器１６から供給された信号Ｓ８及び第２の演算器１７から供給された信号Ｓ９に基づき演算処理を行うので、図９（ｉ）に示す信号Ｓ１０を生成し、生成した信号Ｓ１０を第３の減算器１８に出力する。
【００６３】
第３の減算器１９では、上述したステップＳＴ３０からステップＳＴ３３にしたがって遅延信号Ｓ２から信号Ｓ１０を減算処理するので、図９（ｊ）に示すようにノイズが強調された信号Ｓ１１を出力してしまう。
【００６４】
また、第２の演算器１７は、例えば、コアリングレベルを２／３ステップ（目盛）にし、増幅値Ａを１．０として演算を行った場合には、コアリングレベル２／３ステップより小さい信号成分をノイズ成分として除去するため、図９（ｋ）に破線で示す信号Ｓ９ａを生成する。
【００６５】
第３の演算器１８は、第１の演算器１６から供給された信号Ｓ８及び第２の演算器１７から供給された信号Ｓ９ａに基づき演算処理を行うので、図１０（ｋ）に示す信号Ｓ９ａの極性を反転した信号とから最小値をとり、図１０（ｌ）に破線で示す信号Ｓ１０ａを出力する。
【００６６】
第３の減算器１９は、上述したステップＳＴ３０からステップＳＴ３３にしたがって遅延信号Ｓ２から信号Ｓ１０を減算処理するので、図１０（ｍ）に破線で示す信号Ｓ１１ａを出力する。信号Ｓ１１ａは、信号Ｓ１１のように遅延信号Ｓ２に含まれているノイズ成分を強調することはないが、輪郭補正の効果は信号Ｓ１１より減少してしまう。
【００６７】
したがって、輪郭補正回路１は、入力信号Ｓ１にノイズ成分が含まれている場合にスイッチ２２をオフにしたときには、ノイズによる誤判断によりノイズ成分を強調してしまうので、第２の演算器１７で第１の加算器１４から供給された信号Ｓ６の内にある所定のレベル以下をノイズとみなし、これをコアリングにより補正信号のレベルをゼロにすることで防いでいる。
【００６８】
しかしながら、このような方法では、ノイズ成分と信号との識別を信号レベルのみで行っているので、コアリングレベルを大きくするほど信号の輪郭補正効果は落ち、ノイズの強調とのトレードオフにより十分な輪郭補正効果が得られない。
【００６９】
つぎに、スイッチ２２をオンにした場合の例について述べる。
【００７０】
第１の遅延回路１０は、ノイズ成分が含まれている入力信号Ｓ１（図１１（ａ））が入力されるので、ノイズ成分が含まれている遅延信号Ｓ２（図１１（ｂ））を生成してしまう。このときに、補正判別部１５のスイッチ２２がオンとなっている場合には、ノイズ成分が除去された信号Ｓ１が処理部２３に入力される。なお、処理部２３に備えられている各部の動作については既述したので詳細は省略する。
【００７１】
輪郭補正回路１は、第２の遅延回路１１で図１１（ｃ）に示す遅延信号Ｓ３が生成され、第１の減算器１２で図１１（ｄ）に示す信号Ｓ４が生成され、第２の減算器１３で図１１（ｅ）に示す信号Ｓ５が生成され、第１の加算器１４で図１１（ｆ）に示す信号Ｓ６が生成される。
【００７２】
第１の演算器１６は、補正判別部１５から供給された図１１（ｇ）に示すノイズ成分が除去された信号Ｓ７と、第１の減算器１２から供給された信号Ｓ４と、第２の減算器１３から供給された信号Ｓ５とに基づき図１１（ｈ）に示す信号Ｓ８を生成する。なお、信号Ｓ８は、補正判別部１５から供給される信号Ｓ７にノイズ成分が含まれていないので、ノイズ成分のない信号である。
【００７３】
第２の演算器１７は、例えば、コアリングレベルをゼロにし、増幅値Ａを１．０として演算を行った場合には、図１１（ｉ）に示すノイズ成分が含まれている信号Ｓ９を生成する。
【００７４】
第３の演算器１８は、第１の演算器１６から供給された信号Ｓ８及び第２の演算器１７から供給された信号Ｓ９に基づき演算処理を行うので、図１１（ｊ）に示す信号Ｓ１０を生成し、生成した信号Ｓ１０を第３の減算器１８に出力する。第３の演算器１８は、最小値判別により信号Ｓ８が選択されるため、コアリングレベルがゼロでもノイズ成分が含まれている信号を出力することがない。
【００７５】
第３の減算器１９では、上述したステップＳＴ３０からステップＳＴ３３にしたがって遅延信号Ｓ２からノイズ成分が含まれていない信号Ｓ１０を減算処理するので、図１１（ｋ）に示す信号Ｓ１１を出力する。第３の減算器１９は、図１１（ｋ）に示す信号Ｓ１１から分かるように、ノイズを強調することなく、かつ、入力信号Ｓ１にノイズ成分が含まれていないときの輪郭補正効果（図２（ｊ））同様の効果を得ることができる。
【００７６】
このように構成された輪郭補正回路１は、ノイズ成分が含まれている信号Ｓ１が入力された場合に、補正判別部１５でスイッチ２２をオンにし、入力信号Ｓ１からノイズ成分を除去し、ノイズ除去信号Ｓ'１に基づき補正判定信号Ｓ７を生成し、第１の演算器１６で当該補正判定信号Ｓ７に応じて所定の演算を行い、ノイズのない信号Ｓ８を生成し、第３の演算器１８で当該信号Ｓ８と第２の演算器１７から供給された信号Ｓ９とに基づき所定の演算を行い、ノイズのない信号Ｓ１０を生成し、第３の減算器１９で輪郭補正の基準信号である遅延信号Ｓ２から当該信号Ｓ１０を減算処理する。したがって、輪郭補正回路１は、補正判別部１５で入力信号Ｓ１に含まれているノイズ成分を周波数成分的に除去し、ノイズ成分による生ずる誤判断が制御され、入力信号Ｓ１に含まれているノイズ成分を強調することなく輪郭補正効果を得ることができる。
【図面の簡単な説明】
【００７７】
【図１】本発明を適用した輪郭補正回路のブロック図である。
【図２】本発明を適用した輪郭補正回路に備えられている各構成部の出力信号波形を示す図である。
【図３】図１に示す補正判別部のブロック図を示す図である。
【図４】図３に示す補正判別部に備えられている各構成部の出力信号波形を示す図である。
【図５】図３に示す補正判別部の演算処理の一例を示すフローチャートである。
【図６】本発明を適用した輪郭補正回路に備えられている第１の演算器の演算処理の一例を示すフローチャートである。
【図７】本発明を適用した輪郭補正回路に備えられている第２の演算器の演算処理の一例を示すフローチャートである。
【図８】本発明を適用した輪郭補正回路に備えられている第３の演算器の演算処理の一例を示すフローチャートである。
【図９】本発明を適用した輪郭補正回路において、補正判別部のスイッチがオフ（入力信号に含まれているノイズ成分を除去しない）のときの各構成部の出力信号波形を示す第１の図である。
【図１０】本発明を適用した輪郭補正回路において、補正判別部のスイッチがオフ（入力信号に含まれているノイズ成分を除去しない）のときの各構成部の出力信号波形を示す第２の図である。
【図１１】本発明を適用した輪郭補正回路において、補正判別部のスイッチがオン（入力信号に含まれているノイズ成分を除去する）のときの各構成部の出力信号波形を示す図である。
【図１２】従来の輪郭補正回路のブロック図である。
【図１３】従来の輪郭補正回路に備えられている各構成部での信号波形を示す図である。
【符号の説明】
【００７８】
１  輪郭補正回路、１０  第１の遅延回路、１１  第２の遅延回路、１２  第１の減算器、１３  第２の減算器、１４  加算器、１５  補正判別部、１６  第１の演算器、１７  第２の演算器、１８  第３の演算器、１９  第３の減算器、２０  フィルタ部、２１  ノイズ成分除去部、２２  スイッチ、２３  処理部、２４  第３の遅延回路、２５  第４の遅延回路、２６  第４の減算器、２７  第５の減算器、２８  第２の加算器、２９  補正判別回路
【図１】
2005175711.tif 000003
【図２】
2005175711.tif 000004
【図３】
2005175711.tif 000005
【図４】
2005175711.tif 000006
【図５】
2005175711.tif 000007
【図６】
2005175711.tif 000008
【図７】
2005175711.tif 000009
【図８】
2005175711.tif 000010
【図９】
2005175711.tif 000011
【図１０】
2005175711.tif 000012
【図１１】
2005175711.tif 000013
【図１２】
2005175711.tif 000014
【図１３】
2005175711.tif 000015